(57)【要約】【課題】高温の飲料又は流動性食品を充填するガラス瓶の底部を効果的に加熱しながら、連続的に搬送できるガラス瓶の加熱・搬送装置を提供すること。【解決手段】ガラス瓶１が、搬送路２の両側に沿って配設された一対のグリップコンベヤ３，３で両側面を挟み付け、かつ浮かせた姿勢で連続的に搬送される搬送装置と、搬送路２内においてガラス瓶１の底部１ａ下方に設置された加熱手段１５とを備え、連続的に搬送されるガラス瓶１の底部１ａのみを加熱手段１５により直接加熱するように構成されている。【選択図】図３
0003137440.tif 000002
【実用新案登録請求の範囲】
【請求項１】
ガラス瓶が、搬送路の両側に沿って配設された一対のグリップコンベヤで両側面を挟み付け、かつ浮かせた姿勢で連続的に搬送される搬送装置と、
前記搬送路内において前記ガラス瓶の底部下方に設置された加熱手段とを備え、
連続的に搬送される前記ガラス瓶の底部のみを前記加熱手段により直接加熱するように構成されていることを特徴とするガラス瓶の加熱・搬送装置。
【請求項２】
前記搬送装置が、前記搬送路の下方に沿って配設され、前記グリップコンベヤとほぼ同期運転される補助用チェーンコンベヤを備え、
該補助用チェーンコンベヤのアタッチメントは、連続的に搬送される前記ガラス瓶の底部下方に近接して配置されており、前記グリップコンベヤによる前記ガラス瓶の挟み付け保持力が不足したとき、前記アタッチメントで前記ガラス瓶の底部を当接支持して補助的に搬送するように構成されていることを特徴とする請求項１記載のガラス瓶の加熱・搬送装置。
【請求項３】
前記加熱手段が電気ヒータであって、前記搬送路内の全域に亘って設置されていることを特徴とする請求項１又は２記載のガラス瓶の加熱・搬送装置。
【請求項４】
前記搬送路が、直線搬送路と曲線搬送路とからなり、
前記曲線搬送路には、前記一対のグリップコンベヤを誘導する複数のガイドローラが、前記ガラス瓶と平行状態に並列して、かつ軸線の周りに回転自在に設置され、前記一対のグリップコンベヤのグリップ圧を一定に保持しながら前記ガラス瓶が搬送される構成であることを特徴とする請求項１、２又は３記載のガラス瓶の加熱・搬送装置。
【考案の詳細な説明】
【技術分野】
【０００１】
本考案は、高温の飲料又は流動性食品を充填するガラス瓶の加熱・搬送装置に関するものである。
【背景技術】
【０００２】
従来、連続的に搬送される物品を搬送路に沿って設置した加熱手段によって加熱するようにした加熱・搬送装置は、種々の技術分野で使用され、広く知られている（例えば、特許文献１参照）。
【０００３】
ところで、殺菌処理のため、例えば９０度以上に加熱した飲料又は流動性食品等をガラス瓶に充填する場合、充填する飲料又は流動性食品とガラス瓶との温度差が約５２度以上になると、サーマルショック（熱閉そく）を生起して、ガラス瓶の底部に割れを生じ易いという問題がある。この際、ガラス瓶全体を加熱しても、サーマルショック（熱閉そく）による底部の割れは完全には回避できないことが判明している。
【０００４】
したがって、このようなガラス瓶は、瓶底のみを局部的に加熱して充填する高温の飲料又は流動性食品との温度差を小さくして加熱・搬送することが要求される。
【特許文献１】特開平１１−２４０５１６号公報
【考案の開示】
【考案が解決しようとする課題】
【０００５】
本考案は、上記事情に鑑みてなされたもので、高温の飲料又は流動性食品を充填するガラス瓶の底部を効果的に加熱しながら、連続的に搬送できるガラス瓶の加熱・搬送装置を提供することを目的としている。
【課題を解決するための手段】
【０００６】
上記目的を達成するために、本考案は、ガラス瓶が、搬送路の両側に沿って配設された一対のグリップコンベヤで両側面を挟み付け、かつ浮かせた姿勢で連続的に搬送される搬送装置と、前記搬送路内において前記ガラス瓶の底部下方に設置された加熱手段とを備え、連続的に搬送される前記ガラス瓶の底部のみを前記加熱手段により直接加熱するように構成されていることを特徴とする。
【０００７】
また、前記搬送装置が、前記搬送路の下方に沿って配設され、前記グリップコンベヤとほぼ同期運転される補助用チェーンコンベヤを備え、該補助用チェーンコンベヤのアタッチメントは、連続的に搬送される前記ガラス瓶の底部下方に近接して配置されており、前記グリップコンベヤによる前記ガラス瓶の挟み付け保持力が不足したとき、前記アタッチメントで前記ガラス瓶の底部を当接支持して補助的に搬送するように構成されていることを特徴とする。
【０００８】
前記加熱手段は、熱源が連続配置でき、温度むらが生じない電気ヒータを使用し、前記搬送路内の全域に亘って設置する事が望ましい。
【０００９】
さらに、前記搬送路が直線搬送路と曲線搬送路とからなっている場合、前記曲線搬送路には、前記一対のグリップコンベヤを誘導する複数のガイドローラが、前記ガラス瓶と平行状態に並列して、かつ軸線の周りに回転自在に設置され、前記一対のグリップコンベヤのグリップ圧を一定に保持しながら前記ガラス瓶が搬送される構成とする。
【考案の効果】
【００１０】
以上説明したように、本考案によれば、ガラス瓶の底部のみを加熱手段によって直接に、かつ効果的に加熱しながら前記ガラス瓶を連続的に搬送することができる。また、水洗洗浄が容易に可能であり、衛生面でもすぐれている。
【００１１】
さらに、搬送ラインは直線搬送路と曲線搬送路とを任意に組み合わせることが可能である。
【００１２】
したがって、本考案によるガラス瓶の加熱・搬送装置は、洗浄工程が終了したガラス瓶を、加熱しながら、高温の飲料又は流動性食品を充填する充填工程に搬送するのに好適であり、高温の充填工程におけるガラス瓶の割れを有効に防止することができる。
【考案を実施するための最良の形態】
【００１３】
以下、本考案の実施の形態を図面に基づいて説明する。
【００１４】
図１は、本考案に係るガラス瓶の加熱・搬送装置の一例を示す平面図である。図２は、同装置の側面図である。
【００１５】
加熱・搬送するガラス瓶１は、広口の開口を有するコップ形状である。該ガラス瓶１を連続的に搬送する搬送路２は、直線搬送路２Ａと曲線搬送路２Ｂとからなっており、搬送路２の全長両側に沿って一対のグリップコンベヤ３，３が配設されている。各クリップコンベヤ３は、搬送ベルト４の外側面にグリップ突条片５が設けられていて、相対向する搬送ベルト４，４のグリップ突条片５，５でガラス瓶１の両側面を挟み付け、かつ浮かせた姿勢でガラス瓶１を連続的に搬送するようになっている（図３参照）。
【００１６】
搬送ベルト４，４は搬送路２の始端と終端に設けた駆動輪６と受動輪７に無端状に掛張され、搬送路２に沿って水平に移動する。そして、曲線搬送路２Ｂに沿って搬送ベルト４，４がスムーズに移動するように、曲線搬送路２Ｂには搬送ベルト４，４を案内誘導する複数のガイドローラ８，９及び１０が搬送方向に適宜の間隔をおいてガラス瓶１とほぼ平行状態になるように並列し、かつ軸線の周りに回転自在に設置されている。図４に良く示されているように、ガイドローラ８は、各グリップコンベヤ３の搬送ベルト４の内側に設置され、搬送ベルト４を内側から外側へ張り出すように湾曲させて案内誘導している。また、ガイドローラ９は、曲率半径が大きい方の搬送ベルト４の搬送面に沿って設置され、該搬送ベルト４のグリップ突条片５と干渉しないように上下二段に分割されていると共に、ガイドローラ８より細径に形成されており、かつ、ガイドローラ８より本数を増やして設けられ、当該搬送ベルト４を外側から内方へ張り出すように湾曲させて案内誘導すると共に、搬送されるガラス瓶１の外側面に摺接するようになっている。さらに、ガイドローラ１０は、曲率半径が小さい方の搬送ベルト４の外側に設置され、該搬送ベルト４のグリップ突条片５と干渉しないように上下二段に設けた鍔部１１，１１で当該搬送ベルト４を外側から内方へ張り出すように湾曲させて案内誘導している。このようなガイドローラ８，９及び１０を設置することによって、相対する一対のグリップコンベヤー３，３の搬送ベルト４，４が曲線搬送路２Ｂに沿ってスムーズに移動する。
【００１７】
一方、搬送路２内の全域に亘って加熱手段１５が設置されている。該加熱手段１５は電気ヒータで構成されていて、グリップコンベヤ３，３により連続的に搬送されるガラス瓶１の底部１ａ下方に配置され、該電気ヒータ１５から上方へ向けて放射される輻射熱により、ガラス瓶１の底部１ａを直接加熱するようになっている。
【００１８】
さらに、搬送路２の下方に沿って補助用チェーンコンベヤ１６が設置されている。該補助用チェーンコンベヤ１６は、グリップコンベヤ３，３を補助するもので、該グリップコンベヤ３，３とほぼ等しい速度で同期運転される。補助用チェーンコンベヤ１６は、図２、図３に示されているように、搬送路２の始端及び終端に横方向に並列して軸架された１組の駆動輪１７，１７及び１組の受動輪１８，１８と、相対する駆動輪１７，１７と受動輪１８，１８に無端状に掛張された２本のチェーン１９，１９とで構成され、各チェーン１９に隣接状態に取り付けた多数のアタッチメント２０が搬送路２に沿って連続的に搬送されるガラス瓶１の底部１ａに近接して、具体的には約１ミリ程度の空隙ｅを隔てて配置されている。各アタッチメント２０は小さい板状片に形成されている。
【００１９】
上記のように構成された加熱・搬送装置では、ガラス瓶１は一対のグリップコンベヤ３，３の搬送ベルト４，４に突設したグリップ突条片５，５で両側面を挟み付け、かつ浮かせた姿勢で搬送路２に沿って連続的に搬送されると共に、加熱手段である電気ヒータ１５から放射される輻射熱によって底部１ａのみが直接加熱される。そして、ガラス瓶１が曲線搬送路２Ｂを通過する際には、相対するグリップコンベヤ３，３の搬送ベルト４，４のグリップ圧を一定に保持しながら、浮いた姿勢で搬送され、底部１ａが平均に加熱される。一方、ガラス瓶１がグリップコンベヤ３，３のグリップ突条片５，５で挟み付けて搬送される途中において、グリップ突条片５，５によるガラス瓶１の挟み付け保持力が不測の原因で低下して、ガラス瓶１が自重で落下しようとすると、補助用チェーンコンベヤ１６のアタッチメント２０がガラス瓶１の底部１ａに当接支持して、補助的に搬送するので、グリップコンベヤ３，３によるガラス瓶１の連続的搬送に支障を来すことはない。
【００２０】
上記のようにして底部１ａのみが一定温度に加熱されたガラス瓶１は、搬送路２の終端から図示しない充填装置に移送され、該充填装置において高温に加熱された飲料又は流動性食品がガラス瓶１に充填される。このとき、ガラス瓶底部１ａが適度の温度に加熱されているので、高温飲料又は流動性食品の充填によってガラス瓶１が割れるのを防止することができるものである。
【図面の簡単な説明】
【００２１】
【図１】本考案に係るガラス瓶の加熱・搬送装置の平面図である。
【図２】同装置の側面図である。
【図３】同装置の直線搬送路における縦断拡大正面図である。
【図４】同装置の曲線搬送路における縦断拡大正面図である。
【符号の説明】
【００２２】
１  ガラス瓶
１ａ  ガラス瓶底部
２  搬送路
２Ａ  直線搬送路
２Ｂ  曲線搬送路
３  グリップコンベヤ
４  搬送ベルト
５  グリップ突条片
８，９，１０  ガイドローラ
１１  ガイドローラ１０の鍔部
１５  加熱手段（電気ヒータ）
１６  補助用チェーンベルト
１９  チェーン
２０  アタッチメント
【図１】
0003137440.tif 000003
【図２】
0003137440.tif 000004
【図３】
0003137440.tif 000005
【図４】
0003137440.tif 000006